(57)【要約】【課題】外槽を軽量で搬送状態でコンパクトに構成できるようにして低温液化ガス貯槽を安価に組み立てる。【解決手段】低温液化ガス貯槽を、低温液化ガスを貯留する円筒状の内槽１と、断熱層２を備えた外槽３とから構成する。内槽１の下部鏡板に一体的に取り付けた支柱に外槽側鏡板を一体的に取り付ける。内槽１の下部鏡板から下方に突出して外槽側鏡板を貫通する状態で、低温液化ガスの給排管を設ける。内槽１を搬送して設置した後に外槽側鏡板に外槽取付部材１３を取り付ける。工場で製作した外槽３および断熱材保持部材２０を折り畳んだ縮小状態で設置箇所に搬送し、クレーン２５により吊り下げ、内槽１の全体を覆うように下降させ、外槽取付部材１３に固定保持させる。断熱材保持部材２０の内周面と内槽１の外周面とで形成される空間内に断熱材を圧入するとともに、窒素ガスを供給して断熱層２を形成する。【選択図】図６
2010107002.tif 000002
【特許請求の範囲】
【請求項１】
低温液化ガスを貯留する内槽と、断熱層を備えて前記内槽を覆うように設けた外槽とから成る低温液化ガス貯槽であって、
前記外槽が搬送用の縮小状態と組み立て状態での拡張状態とに変形可能な膜材で構成したものであり、前記膜材と前記内槽の外周面との間の空間内に断熱材を充填して断熱層を形成するとともに前記断熱層内に不活性乾燥ガスを充填してあることを特徴とする低温液化ガス貯槽。
【請求項２】
請求項１に記載の低温液化ガス貯槽において、
断熱層内の圧力が大気圧よりも高くなるように不活性乾燥ガスを充填してある低温液化ガス貯槽。
【請求項３】
請求項１または請求項２に記載の低温液化ガス貯槽において、
内槽の底部の下方に平板または鏡板を設け、前記平板または鏡板に、前記内槽に連通接続した低温液化ガスの給排管を取り付けるとともに膜材の下端部を取り付けてある低温液化ガス貯槽。
【請求項４】
請求項１、請求項２、請求項３のいずれかに記載の低温液化ガス貯槽において、
断熱層を少なくとも鉛直方向に複数の空間に分割し、前記分割空間内それぞれに断熱材を充填する充填部を付設してある低温液化ガス貯槽。
【請求項５】
請求項１、請求項２、請求項３、請求項４のいずれかに記載の低温液化ガス貯槽において、
外槽を形成する膜材を、耐候性を有する外膜と、前記外膜とは別体で前記外膜の内側に配置された気密性を有する内膜とから構成してある低温液化ガス貯槽。
【請求項６】
請求項１、請求項２、請求項３、請求項４、請求項５のいずれかに記載の低温液化ガス貯槽において、
外槽の内側に、前記外槽とは別体で、内槽の外周面とで形成される空間に断熱材を保持する断熱材保持部材を設けてある低温液化ガス貯槽。
【発明の詳細な説明】
【技術分野】
【０００１】
本発明は、工場やガス事業者などで使用する液化酸素、液化窒素、液化天然ガスなどの低温液化ガスを貯留するために、工場敷地内やガス事業者の用地などに設置される低温液化ガス貯槽であって、低温液化ガスを貯留する内槽と、断熱層を備えて内槽を覆うように設けた外槽とから構成してある低温液化ガス貯槽に関する。
【背景技術】
【０００２】
低温液化ガス貯槽の内槽としては、１０ｋｌ（キロリットル）程度の小容量のものから１５００ｋｌ程度あるいはそれ以上の大容量のものがある。
内槽の容量が大きくなると、それ以上に、内槽を覆う外槽の容量も大きくなり、従来では内槽および外槽が鋼製であり、一定容量（例えば、約１００ｋｌ）を超えるものでは、公道での重量制限や荷幅制限などに起因して搬送できない問題があった。
【０００３】
そこで、従来、内槽と外槽上部部材とを分割できるように構成し、内槽と外槽上部部材とを別々に設置箇所に搬送することで重量制限範囲内のものとし、設置箇所において、内槽と外槽上部部材とを接合し、両者間に、断熱材を充填するとともに真空引きした真空断熱層を形成するように構成したものがある。
この従来例によれば、内槽および外槽上部部材それぞれを工場で製作し、それらを設置箇所に搬送して組み立てることができ、現地での組み立て日数を短縮できる利点を有している（特許文献１参照）。
【特許文献１】特許第３９８１１４１号公報
【発明の開示】
【発明が解決しようとする課題】
【０００４】
しかしながら、従来例の場合、次のような問題があった。
（ａ）内槽と外槽の重量を合計すると重量制限範囲を超えているが、内槽および外槽の重量が重量制限範囲内の場合
内槽と外槽とを別々に搬送するために搬送コストが高価になる不都合があった。
（ｂ）内槽自体で重量制限範囲や荷幅制限範囲を超えている場合
内槽および外槽が鋼製であるため、内槽の容量が大きくなると外槽の容量も大きくなり、外槽自体でも重量制限範囲や荷幅制限範囲を超え、内槽および外槽のいずれをも現地で組み立てざるを得ない不都合があった。
【０００５】
本発明は、このような事情に鑑みてなされたものであって、請求項１に係る発明は、外槽を軽量で搬送状態でコンパクトに構成できるようにして低温液化ガス貯槽を安価に組み立てることができるようにすることを目的とし、請求項２に係る発明は、外槽と内槽間での結露を良好に防止できるようにすることを目的とし、請求項３に係る発明は、外槽と内槽との接合を容易にできるようにすることを目的とし、請求項４に係る発明は、断熱材の沈降による断熱性の低下を防止できるようにすることを目的とし、請求項５に係る発明は、長期間でのメンテナンスを安価にできるようにすることを目的とし、請求項６に係る発明は、長期間でのメンテナンスを容易にかつ安価に行えるようにすることを目的とする。
【課題を解決するための手段】
【０００６】
請求項１に係る発明は、上述のような目的を達成するために、
低温液化ガスを貯留する内槽と、断熱層を備えて前記内槽を覆うように設けた外槽とから成る低温液化ガス貯槽であって、
前記外槽が搬送用の縮小状態と組み立て状態での拡張状態とに変形可能な膜材で構成したものであり、前記膜材と前記内槽の外周面との間の空間内に断熱材を充填して断熱層を形成するとともに前記断熱層内に不活性乾燥ガスを充填してあることを特徴としている。
【０００７】
（作用・効果）
請求項１に係る発明の低温液化ガス貯槽の構成によれば、膜材で構成した外槽を縮小状態にして設置箇所に搬送し、設置箇所で拡張状態にして内槽を覆うように配置し、断熱材を充填するとともに不活性乾燥ガスを充填して低温液化ガス貯槽を設置できる。
したがって、外槽を膜材によって軽量でしかも搬送状態でコンパクトにできるから、低温液化ガス貯槽を安価に組み立てることができる。
すなわち、外槽と内槽との合計重量が重量制限範囲内である場合に、外槽の重量が減少した分だけ内槽の搬送可能な重量が増加し、従来よりも大容量の内槽であっても外槽と一緒に搬送することができ、内槽および外槽を工場で製作でき、製作コストおよび搬送コストを安価にでき、更に、現地での組み立て日数を短くでき、全体として、低温液化ガス貯槽の設置コストを安価にできる。
また、内槽の重量が重量制限範囲内の上限に近い重量で、従来の鋼製のものであれば外槽自体の重量が重量制限範囲を超える場合とか、内槽の幅が荷幅制限範囲内の上限（例えば、約３．５ｍ）に近い場合で、外槽自体の幅が荷幅制限範囲を超える場合、従来では、外槽を工場で製作できないために現地で製作せざるを得ず、現地での組み立て日数が長くなっていたのに比べ、請求項１に係る発明の低温液化ガス貯槽によれば、現地での組み立て日数を短くでき、全体として、低温液化ガス貯槽の設置コストを安価にできる。
更には、内槽および外槽それぞれ自体で重量制限範囲を超えたり、荷幅制限範囲を超えたりする場合、従来であれば、内槽および外槽のいずれをも現地で製作して組み立てることになり、現地での組み立て日数が長くなっていた。これに比べ、請求項１に係る発明の低温液化ガス貯槽によれば、外槽を軽量でしかも搬送状態でコンパクトにできるから、大容量の内槽に対する外槽であっても、外槽を工場で製作して設置箇所に搬送することができ、外槽を現地で製作する場合に比べて現地での組み立て日数を短くでき、全体として、大容量の低温液化ガス貯槽の場合でも設置コストを安価にできる。
【０００８】
請求項２に係る発明は、前述のような目的を達成するために、
請求項１に記載の低温液化ガス貯槽において、
断熱層内の圧力が大気圧よりも高くなるように不活性乾燥ガスを充填して構成する。
【０００９】
（作用・効果）
請求項２に係る発明の低温液化ガス貯槽の構成によれば、断熱層内に外気が侵入することを良好に防止できる。
したがって、外槽と内槽間に侵入した空気に起因して結露が生じることを良好に防止できる。
【００１０】
請求項３に係る発明は、前述のような目的を達成するために、
請求項１または請求項２に記載の低温液化ガス貯槽において、
内槽の底部の下方に平板または鏡板を設け、前記平板または鏡板に、前記内槽に連通接続した低温液化ガスの給排管を取り付けるとともに膜材の下端部を取り付けて構成する。
【００１１】
（作用・効果）
請求項３に係る発明の低温液化ガス貯槽の構成によれば、外槽を構成する膜材の下端部を内槽の底部の下方に設けた平板または鏡板に取り付けるだけで、外槽を内槽に接合することができる。
したがって、外槽を貫通させて給排管を設けるといったことをせずに済み、外槽と内槽との接合を容易にできる。
【００１２】
請求項４に係る発明は、前述のような目的を達成するために、
請求項１、請求項２、請求項３のいずれかに記載の低温液化ガス貯槽において、
断熱層を少なくとも鉛直方向に複数の空間に分割し、前記分割空間内それぞれに断熱材を充填する充填部を付設して構成する。
【００１３】
（作用・効果）
請求項４に係る発明の低温液化ガス貯槽の構成によれば、複数の分割空間内に断熱材を充填するから、充填された断熱材が自重によって沈降しても、各分割空間の上部で発生する隙間容積が小さく、全体を一連の空間で断熱層を形成した場合に比べ、断熱材の沈降による断熱性の低下を防止できる。
【００１４】
請求項５に係る発明は、前述のような目的を達成するために、
請求項１、請求項２、請求項３、請求項４のいずれかに記載の低温液化ガス貯槽において、
外槽を形成する膜材を、耐候性を有する外膜と、前記外膜とは別体で前記外膜の内側に配置された気密性を有する内膜とから構成する。
【００１５】
（作用・効果）
外膜は外気に曝されるために、内膜に比べて寿命が短い。一方、内膜は気密性を備えさせるために、内面側にアルミ蒸着を施した膜を使用するなど、外膜に比べて高価である。このように材料的に異なる外膜と内膜とを一体的にしている場合、外膜の劣化に伴って高価な内膜も交換することになってしまう。
請求項５に係る発明の低温液化ガス貯槽の構成によれば、耐候性を有する外膜と気密性を有する内膜とを別体で構成するから、外膜と内膜それぞれを個別に交換することができ、外膜と内膜それぞれを個別の寿命に合わせて交換でき、長期間でのメンテナンスを安価にできる。
【００１６】
請求項６に係る発明は、前述のような目的を達成するために、
請求項１、請求項２、請求項３、請求項４、請求項５のいずれかに記載の低温液化ガス貯槽において、
外槽の内側に、前記外槽とは別体で、内槽の外周面とで形成される空間に断熱材を保持する断熱材保持部材を設けて構成する。
【００１７】
（作用・効果）
請求項６に係る発明の低温液化ガス貯槽の構成によれば、断熱材保持部材により断熱材を保持させた状態で外槽を交換することができる。
したがって、外槽の交換に際して、断熱材を除去したり、また、外槽の交換後に断熱材を充填するといった作業が不要になり、長期間でのメンテナンスを容易にかつ安価に行える。
【発明の効果】
【００１８】
以上の説明から明らかなように、請求項１に係る発明の低温液化ガス貯槽の構成によれば、膜材で構成した外槽を縮小状態にして設置箇所に搬送し、設置箇所で拡張状態にして内槽を覆うように配置し、断熱材を充填するとともに不活性乾燥ガスを充填して低温液化ガス貯槽を設置できる。
したがって、外槽を膜材によって軽量でしかも搬送状態でコンパクトにできるから、低温液化ガス貯槽を安価に組み立てることができる。
すなわち、外槽と内槽との合計重量が重量制限範囲内である場合に、外槽の重量が減少した分だけ内槽の搬送可能な重量が増加し、従来よりも大容量の内槽であっても外槽と一緒に搬送することができ、内槽および外槽を工場で製作でき、製作コストおよび搬送コストを安価にでき、更に、現地での組み立て日数を短くでき、全体として、低温液化ガス貯槽の設置コストを安価にできる。
また、内槽の重量が重量制限範囲内の上限に近い重量で、従来の鋼製のものであれば外槽自体の重量が重量制限範囲を超える場合とか、内槽の幅が荷幅制限範囲内の上限（例えば、約３．５ｍ）に近い場合で、外槽自体の幅が荷幅制限範囲を超える場合、従来では、外槽を工場で製作できないために現地で製作せざるを得ず、現地での組み立て日数が長くなっていたのに比べ、請求項１に係る発明の低温液化ガス貯槽によれば、現地での組み立て日数を短くでき、全体として、低温液化ガス貯槽の設置コストを安価にできる。
更には、内槽および外槽それぞれ自体で重量制限範囲を超えたり、荷幅制限範囲を超えたりする場合、従来であれば、内槽および外槽のいずれをも現地で製作して組み立てることになり、現地での組み立て日数が長くなっていた。これに比べ、請求項１に係る発明の低温液化ガス貯槽によれば、外槽を軽量でしかも搬送状態でコンパクトにできるから、大容量の内槽に対する外槽であっても、外槽を工場で製作して設置箇所に搬送することができ、外槽を現地で製作する場合に比べて現地での組み立て日数を短くでき、全体として、大容量の低温液化ガス貯槽の場合でも設置コストを安価にできる。
【発明を実施するための最良の形態】
【００１９】
次に、本発明の実施例を図面に基づいて詳細に説明する。
【実施例１】
【００２０】
図１は、本発明に係る低温液化ガス貯槽の実施例１を示す全体概略縦断面図であり、低温液化ガス貯槽が、低温液化ガスを貯留する円筒状の内槽１と、断熱層２を備えて内槽１を覆うように設けた外槽３とから構成されている。
内槽１の上端側に上部鏡板４が設けられ、一方、下端側に下部鏡板５が設けられている。上部鏡板４には外槽支持部材６が一体的に取り付けられている。下部鏡板５には支柱７が一体的に取り付けられるとともに、下部鏡板５の下方で、支柱７に外槽側鏡板８が一体的に取り付けられている。
【００２１】
また、内槽１内に、その内周面に沿って、上端側から下端部にわたるとともに下部鏡板５から下方に突出して外槽側鏡板８を貫通する状態でボイルオフガスを排出するガス排出管９が設けられている。更に、タンクローリーからの低温液化ガスを充填供給する際に、内槽１内を早期に冷却するために、内槽１の上部から低温液化ガスを散布供給する第１の液供給管１０が設けられている。
ガス供給管９および第１の供給管１０それぞれは、内槽１の下部鏡板５から下方に突出して外槽側鏡板８を貫通する状態で設けられている。
【００２２】
内槽１の下部鏡板５から下方に突出して外槽側鏡板８を貫通する状態で、タンクローリーから内槽１の下部に低温液化ガスを充填供給する第２の液供給管１１と、内槽１から消費設備に払い出す第３の液供給管１２とが設けられている。上述のガス排出管９、第１、第２および第３の液供給管１０，１１，１２をして低温液化ガスの給排管と称する。なお、第１、第２および第３の液供給管１０，１１，１２には、適宜所定の配管が接続される。
【００２３】
図２の要部の一部省略拡大断面図に示すように、外槽側鏡板８の外周縁に、シールリング（図示せず）を介装する状態でボルトとナットとにより、外槽取付部材１３が一体的に取り付けられている。この外槽取付部材１３は、図３の図２の一部省略平面図に示すように、半円状部材１３ａ，１３ｂどうしをボルトとナットとにより一体的に接合して構成されている。外槽取付部材１３をも含めて外槽側鏡板８と称する。本発明としては、外槽側鏡板８に代えて平板を設けるものでも良い。
【００２４】
外槽取付部材１３の所定箇所に、供給管１４が貫通して取り付けられている。この供給管１４は、パーライトなどの粉状または顆粒状の断熱材を充填供給するために使用できるようになっている。また、断熱材の充填後には、図１に示すように、不活性乾燥ガスとしての窒素ガスを液化した液体窒素を充填した液体窒素ガスボンベ１５がガス供給管１６を介して供給管１４に接続され、断熱層２内に窒素ガスを充填供給するとともに、その断熱層２内の圧力が大気圧よりも高くなる状態に維持できるようになっている。
【００２５】
図４の（ａ）の要部（低温液化ガス貯槽の上部）の拡大断面図、および、図４の（ｂ）の要部の平面図〔図４の（ａ）のＡ−Ａ線矢視断面図〕に示すように、外槽３が、搬送用の縮小状態と組み立て状態での拡張状態とに変形可能で軽量の膜材で構成され、その膜材が、外膜１７と、内膜１８とから構成され、更に、内膜１８の内方に、断熱材１９を保持する断熱材保持部材２０が設けられている。
【００２６】
外膜１７は、耐候性および強度を有するように、ポリエステル繊維製の膜材などで製作されている。内膜１８は、気密性を有するように、エチレンビニルアルコール共重合樹脂製フィルムの内周面にアルミ膜を蒸着した膜材などで製作されている。断熱材保持部材２０は、内槽１の温度変化による膨張収縮率以上の弾性を有するとともに、断熱材１９の粒径よりも小さい通気孔を有する材料で製作されている。組み立て状態で、内膜１８と断熱材保持部材２０との間に、断熱材保持部材２０の膨張収縮を許容する隙間が形成されるように構成され、内槽１の膨張収縮に対応して断熱材保持部材２０が膨張収縮し、内槽１の外周面と断熱材保持部材２０とで形成される空間容積が変化することを抑制し、内槽１の膨張収縮に起因する断熱材１９の沈降を防止するとともに、内膜１８に断熱材保持部材２０から大きな圧力がかからないように配慮されている。
【００２７】
外膜１７の上部中央箇所に開口が形成され、その開口周縁部が一対の第１の環状保持部材２１に挟持されるとともに、周方向複数箇所でビスＢ止めにより保持されている。また、内膜１８の上部中央箇所に開口が形成され、その開口周縁部が一対の第２の環状保持部材２２に挟持されるとともに、外膜１７の場合と同様に周方向複数箇所でビス止めにより保持されている。また、断熱材保持部材２０の上部中央箇所に開口が形成され、その開口周縁部が一対の第３の環状保持部材２３に挟持されるとともに、外膜１７の場合と同様に周方向複数箇所でビス止めにより保持されている。
【００２８】
第３の環状保持部材２３の上面の周方向に、所定間隔を隔てて上方に突出する状態でスタッドボルト２４が溶接されている。第１および第２の環状保持部材２１，２２それぞれに、スタッドボルト２４を挿通するボルト挿通孔が形成され、第１および第２の環状保持部材２１，２２それぞれが第３の環状保持部材２３にスタッドボルト２４により連結分離可能に一体連結されている。第１、第２および第３の環状保持部材２１，２２，２３それぞれの外面側の複数箇所にクレーン２５（図６参照）の玉掛けワイヤー２６（図６参照）を引っ掛ける係止部材２７が設けられている。
【００２９】
スタッドボルト２４に第１および第２の環状保持部材２１，２２それぞれを挿通した状態で、環状のシール部材２８を介装した状態で蓋体２９が挿通され、その状態でスタッドボルト２４にナット３０が螺合されている。
この構成により、外膜１７、内膜１８および断熱材保持部材２０のすべてをクレーンにより持ち上げることができるようになっている。また、外膜１７、内膜１８および断熱材保持部材２０それぞれを分離できることで、外膜１７および内膜１８それぞれを個別に交換できるようになっている。
図示しないが、蓋体２９に開閉カバーが付設され、この開閉カバーにバネが設けられ、自然状態ではバネの付勢力により閉じ状態に維持されながら、断熱材１９を充填供給する際にはバネの付勢力に抗して開閉カバーを開き、断熱材供給管を挿入可能に構成されている。これにより、断熱材１９が自重などによって沈降したときに上部から補充供給できるようになっている。
【００３０】
外膜１７、内膜１８および断熱材保持部材２０の下端側は、図５の（ａ）の要部の拡大断面図に示すように、環状のロープ３１を介して折り返され、その折返した二重部分が、図５の（ｂ）の要部の概略平面図（ここでは部材の厚みを誇張して示している）に示すように、二つ割りの押圧リング３２をボルト止めで締め付けることにより、外槽支持部材１３に圧接してシールする状態で固定保持されている。
【００３１】
次に、上記構成による低温液化ガス貯槽の組み立てにつき、図６の組み立て手順の説明に供する図を用いて説明する。
先ず、内槽１を現地で立設する。容量が１５０ｋｌまでの内槽１であれば、その直径が３ｍ５０ｃｍ以内で公道での運搬が可能であり、内槽１を工場で製作し、設置箇所まで搬送して設置し、内槽１の上部鏡板４に近い位置に、ステー３３を介して環状ガイド３４を取り付けるとともに、外槽側鏡板８に外槽支持部材１３を取り付ける。公道での運搬が不可能な容量の内槽１は、現地で製作して組み立てることになる。
【００３２】
また、外槽３（外膜１７および内膜１８）および断熱材保持部材２０それぞれを工場で製作するとともに、それらを一体連結して折り畳んだ縮小状態（公道での運搬が可能な荷幅内の状態）で設置箇所に搬送し、クレーン２５のフック３５に玉掛けワイヤー２６を介して吊り下げる［図６の（ａ）］。
【００３３】
次いで、外槽３および断熱材保持部材２０の下端側を拡げるように吊り上げ、設置された内槽１の上方に移送し、断熱材保持部材２０の内周面を環状ガイド３４に接触させながら下降する［図６の（ｂ）］（この図６の（ｂ）では、説明上外槽３および断熱材保持部材２０の鉛直方向長さが短い状態で示されている）。
外槽３および断熱材保持部材２０を、内槽１の全体を覆うように下降させた後、外槽３（外膜１７および内膜１８）および断熱材保持部材２０それぞれの下端縁を、前述したようにシール状態で外槽支持部材１３に固定保持する［図６の（ｃ）］。
【００３４】
しかる後、供給管１４に断熱材充填用ホース（図示せず）を接続し、断熱材保持部材２０の内周面と内槽１の外周面とで形成される空間内に断熱材１９を圧入により充填供給する。その後、供給管１４に、液体窒素ガスボンベ１６に接続されたガス供給管１５を接続し、不活性乾燥ガスとしての窒素ガスを、内膜１８の内周面と内槽１の外周面とで形成される空間内に供給し、断熱層２を形成する［図６の（ｄ）］。
断熱材１９の圧入および窒素ガスの供給に際しては、蓋体２９に付設された開閉カバーを強制的に開き、断熱層２内の空気を排出するように構成されている。
【実施例２】
【００３５】
図７は、実施例２を示す全体概略縦断面図であり、実施例１と異なるところは次の通りである。
すなわち、断熱材保持部材２０の内周面に、設置状態での鉛直方向に所定間隔を隔てて環状の布材５１が付設され、内槽１に外嵌した状態で、布材５１の内終端縁が内槽１に接し、断熱層２を鉛直方向に複数の空間Ｓに分割できるように構成されている。実施例１におけるステー３３および環状ガイド３４は設けない。
【００３６】
最上部に近い箇所と、布材５１の下面に近接した箇所それぞれに、外膜１７、内膜１８および断熱材保持部材２０を貫通して充填部としての断熱材供給管５２が設けられ、分割空間Ｓ内それぞれに断熱材を充填供給できるように構成されている。他の構成は実施例１と同じであり、同一図番を伏すことにより、その説明は省略する。
【００３７】
この実施例２によれば、断熱材の自重による沈降を抑えるとともに、沈降によって断熱材が存在しない大きな空間が生ずることを抑制し、断熱性能が低下することを防止できる利点を有している。
この実施例２による場合、断熱材供給管５２を取り付けるために、外膜１７および内膜１８それぞれを個別に交換できないが、例えば、外膜１７と内膜１８とにわたって、断熱材供給管５２を挿入離脱可能なガイド筒を、外膜１７の外方からのねじ込みや回転操作などによって連結分離可能に設けるとともに、断熱材保持部材２０に、断熱材供給管５２を抜き差し可能な口部を形成し、外膜１７および内膜１８それぞれを個別に交換できるように構成しても良い。
【００３８】
上記実施例では、断熱材保持部材２０を設けることにより、内膜１８の交換時に断熱材１９が飛散することを防止して交換を容易に行えるように構成しているが、本発明としては、断熱材保持部材２０を設けないものでも良い。また、外膜１７と内膜１８とが一体形成されたものでも良い。
また、外槽３の変形を防止するために、外槽３の鉛直方向に所定間隔を隔ててベルトを巻くようにしても良い。
【図面の簡単な説明】
【００３９】
【図１】本発明に係る低温液化ガス貯槽の実施例１を示す全体概略縦断面図である。
【図２】実施例１の要部の一部省略拡大断面図である。
【図３】図２の一部省略平面図である。
【図４】（ａ）は要部（低温液化ガス貯槽の上部）の拡大断面図、（ｂ）は図４の（ａ）のＡ−Ａ線矢視断面図である。
【図５】（ａ）は要部の拡大断面図、（ｂ）は要部の概略平面図である。
【図６】組み立て手順の説明に供する図である。
【図７】実施例２を示す全体概略縦断面図である。
【符号の説明】
【００４０】
１…内槽
２…断熱層
３…外槽
８…外槽側鏡板
９…ガス排出管（低温液化ガスの給排管）
１０…第１の液供給管（低温液化ガスの給排管）
１１…第２の液供給管（低温液化ガスの給排管）
１２…第３の液供給管（低温液化ガスの給排管）
１７…外膜
１８…内膜
１９…断熱材
２０…断熱材保持部材
５２…断熱材供給管（充填部）
Ｓ…分割空間
【図１】
2010107002.tif 000003
【図２】
2010107002.tif 000004
【図３】
2010107002.tif 000005
【図４】
2010107002.tif 000006
【図５】
2010107002.tif 000007
【図６】
2010107002.tif 000008
【図７】
2010107002.tif 000009